【手続補正書】
【提出日】平成17年8月1日(2005.8.1)
【手続補正１】
【補正対象書類名】明細書
【補正対象項目名】全文
【補正方法】変更
【補正の内容】
【書類名】      明細書
【発明の名称】  パチンコ遊技機
【特許請求の範囲】
【請求項１】  遊技面の所定個所に配置された入賞口又は通過ゲートを備えたパチンコ遊技機において、
上記入賞口又は通過ゲートの上方には、打球を受け止めて入賞口又は通過ゲートに導くための水平方向に広がりを持って延びる打球誘導部が設けられ、この打球誘導部は打球を各々別々に導いて個別の打球放出口から放出する複数の案内路を有し、これら複数の案内路の打球放出口は、上記入賞口又は通過ゲートまでの距離が各々異なる位置に設けられていることを特徴とするパチンコ遊技機。
【請求項２】  遊技面の略中央部に複数の図柄を変動表示可能な可変図柄表示部が設けられており、上記入賞口又は通過ゲートは、この可変図柄表示部の下方に配置されかつ可変図柄表示部の始動機能を有するもので、この始動入賞口又は始動通過ゲートに打球が入賞すると上記可変図柄表示部の図柄が変動を開始し、所定時間後に停止した図柄の組み合わせが特定の組み合わせであれば遊技者に有利となる特別遊技状態にするように構成されており、上記打球誘導部は、遊技面における可変図柄表示部とその始動入賞口又は始動通過ゲートとの上下方向中間位置に配置されている請求項１記載のパチンコ遊技機。
【請求項３】  上記複数の案内路の打球放出口は、入賞口又は通過ゲートまでの距離が遠い程横幅が大きく設定されている請求項１又は２記載のパチンコ遊技機。
【請求項４】  上記打球誘導部は、打球を受け止める面に複数の案内路に打球を選択的に振り分ける可動部材を有してなる請求項１〜３のいずれか一つに記載のパチンコ遊技機。
【請求項５】  上記可動部材は垂直軸回りに回転する回転体からなり、この回転体には複数の案内路に各々対応して連通する複数の連通路が形成されている請求項４記載のパチンコ遊技機。
【請求項６】  上記打球誘導部は、打球を受け止める上段ステージ部と、この上段ステージ部の下側に形成された単一又は複数の下段ステージ部とを有し、これらのステージ部により上記複数の案内路を構成している請求項１〜５のいずれか一つに記載のパチンコ遊技機。
【発明の詳細な説明】
【０００１】
【発明の属する技術分野】
本発明は、パチンコ遊技機に関し、特に始動入賞口や通過ゲート等に打球を導くための打球誘導部（いわゆるステージ）を有するものの改良に係わる。
【０００２】
【従来の技術】
一般に、パチンコ遊技機は、遊技面の所定個所に各種の入賞口及び通過ゲートを配置するとともに、その周囲に多数の障害釘を配置してなり、ハンドル操作により遊技面に発射した打球を、障害釘を避けあるいは利用して入賞口に入賞させてゲームを楽しむものである。近年のパチンコ遊技機は、遊技面の略中央部に複数の図柄を変動表示可能な液晶ディスプレイ、ブラウン管又はリール装置等の可変図柄表示部を設けるとともに、この可変図柄表示部の下方に始動入賞口を設け、この始動入賞口に打球が入賞すると所定数のパチンコ玉を賞品球として払い出すとともに、大当たりとするか否かを乱数抽選により決定し、大当たりのときには上記可変図柄表示部の図柄を変動させた後特定の図柄の組み合わせで大当たりを表示し、例えば大入賞口の開閉扉を所定時間開いて打球を入賞させ易くするなど、遊技者に有利となる特別遊技状態にするのが主流である。尚、始動入賞口としては、賞品球の払い出しを行わない通過ゲート式のものもある。
【０００３】
そして、この種のパチンコ遊技機においては、例えば特開平１０−８５３９５号公報に開示されるように、遊技面の可変図柄表示部と始動入賞口との上下方向中間位置に水平方向に延びる打球誘導部としてのステージを設け、障害釘等に当たって可変図柄表示部の下側に回り込んだ打球をこのステージで受け止め、始動入賞口の真上に位置するステージの打球放出口から打球を放出して始動入賞口に入賞し易くするようにすることが行われている。また、誘導路（いわゆるワープルート）の流入口を可変図柄表示部の上側周辺部に、排出口をステージに面した位置にそれぞれ設け、流入口に入った打球を誘導路内を通してステージ上に導くようにすることも行われている。
【０００４】
【発明が解決しようとする課題】
ところが、上記従来のものでは、打球が障害釘等に当たって可変図柄表示部の下側に回り込んでステージ上に入った場合、あるいは誘導路内を通してステージ上に導かれた場合のいずれにも、ステージは単に一つの打球放出口から打球を放出するだけであり、また放出される打球が始動入賞口に入賞するかどうかは打球の勢いに任せるだけであるため、ステージによる遊技が単調になり変化に乏しい面があった。
【０００５】
本発明はかかる点に鑑みてなされたものであり、その課題とするところは、上述の如く始動入賞口等に打球を導くためのステージの遊技性を高め、興趣に富んだパチンコ遊技機を提供するものである。
【０００６】
【課題を解決するための手段】
上記の課題を解決するため、請求項１に係る発明は、遊技面の所定個所に配置された入賞口又は通過ゲートを備えたパチンコ遊技機において、上記入賞口又は通過ゲートの上方に、打球を受け止めて入賞口又は通過ゲートに導くための水平方向に広がりを持って延びる打球誘導部（いわゆるステージ）を設ける。そして、この打球誘導部において、打球を各々別々に導いて個別の打球放出口から放出する複数の案内路を有し、かつこれら複数の案内路の打球放出口を、上記入賞口又は通過ゲートまでの距離が各々異なる位置に設ける構成とする。この構成では、打球誘導部上の打球が複数の案内路のいずれに導かれて放出されるかによって、打球の入賞口又は通過ゲートへの入賞確率が異なるので、遊技者は打球誘導部上での打球の動きに興味を持つことになり、打球誘導部の遊技性が高くなる。
【０００７】
請求項２に係る発明は、近年のパチンコ遊技機の主流である図柄変動ゲーム機能を備えたものに適用した場合の形態を提供する。すなわち、遊技面の略中央部に複数の図柄を変動表示可能な可変図柄表示部が設けられており、上記入賞口又は通過ゲートは、この可変図柄表示部の下方に配置されかつ可変図柄表示部の始動機能を有するもので、この始動入賞口又は始動通過ゲートに打球が入賞すると上記可変図柄表示部の図柄が変動を開始し、所定時間後に停止した図柄の組み合わせが特定の組み合わせであれば遊技者に有利となる特別遊技状態にするように構成されている。また、上記打球誘導部は、遊技面における可変図柄表示部とその始動入賞口又は始動通過ゲートとの上下方向中間位置に配置されている。この形態の場合、可変図柄表示部と打球誘導部とが互いに近い位置にあるため、可変図柄表示部での図柄変動ゲームと打球誘導部上での遊技とが互いに相乗効果を生じ、パチンコ遊技機の興趣が一層高くなる。
【０００８】
請求項３に係る発明は、複数の案内路間における打球の入賞口等への入賞確率の差異をより大きくして打球誘導部の遊技性を一層高めるために、複数の案内路の打球放出口を、入賞口又は通過ゲートまでの距離が遠い程その横幅を大きく設定する構成とする。
【０００９】
請求項４に係る発明は、打球誘導部の遊技性をより高めるために、上記打球誘導部において、更に打球を受け止める面に複数の案内路に打球を選択的に振り分ける可動部材を有する構成とする。この構成では、可動部材によって打球誘導部上の打球が複数の案内路のいずれかに振り分けられるので、遊技者はこの可動部材の動きにも興味を持つことになる。
【００１０】
請求項５に係る発明は、上記可動部材の具体的な形態の一例を提供する。すなわち、可動部材を垂直軸回りに回転する回転体で構成し、この回転体に複数の案内路に各々対応して連通する複数の連通路を形成する。この構成では、回転体上の打球は、回転体と共に垂直軸回りに回転しながら回転体上を転がり落ち、その複数の連通路のいずれか一つの連通路及びそれに連通する案内路を通して放出されることになり、打球誘導部での打球の動きが非常に変化に富むことになる。また、請求項６に係る発明は、打球誘導部の好ましい具体的な形態を提供する。すなわち、上記打球誘導部は、打球を受け止める上段ステージ部と、この上段ステージ部の下側に形成された単一又は複数の下段ステージ部とを有し、これらのステージ部により上記複数の案内路を構成する。
【００１１】
【発明の実施の形態】
以下、本発明の実施の形態を図面に基づいて説明する。
図１は本発明の第１の実施形態に係るパチンコ遊技機Ａの外観を示し、このパチンコ遊技機Ａは、その本体１の前面側に遊技盤２、パチンコ玉投入皿３、打球発射操作用ハンドル４、パチンコ玉払出口５、受け皿６及び余剰玉放出口７を備えてなる。
【００１２】
上記遊技盤２の表面のうちの遊技領域である遊技面２ａには複数の障害釘１１（大部分は図示せず）、入賞口１２及びチューリップ役物１３等がそれぞれ所定の位置に配置されている。また、遊技面２ａの中央部には、液晶ディスプレイからなる可変図柄表示部１４が配置されているとともに、この可変図柄表示部１４の下側に始動入賞口１５と開閉扉を有する大入賞口１６とアウト玉を取り込むためのアウト口１７とが略縦一列に配置されている。
【００１３】
上記可変図柄表示部１４は、遊技面２ａに発射された打球が始動入賞口１５に入賞した時に三つの画面を横一列に表示し、それらの画面でそれぞれ数字等の複数種の図柄を可変表示した後、所定時間経過後に停止し、各々いずれか一つの図柄を表示するようになっており、可変図柄表示部１４の制御は、パチンコ遊技機本体１に内蔵のマイクロコンピュータからなる制御部（図示せず）により行われる。この制御部は、打球が始動入賞口１５に入賞した時点で抽選を行い、その抽選結果が「当たり」の場合には可変図柄表示部１４に特定の図柄の組み合わせ（例えば「７」「７」「７」）を表示するとともに、例えば大入賞口１６の開閉扉を所定時間開いて打球を入賞させ易くするなど遊技者に有利となる特別遊技状態にするように構成されている。
【００１４】
また、上記遊技面２ａにおける可変図柄表示部１４と始動入賞口１５との上下方向中間位置には打球を受け止めて始動入賞口１５寄りの上方に導くための打球誘導部としてのセンタステージ２１が設けられている。このセンタステージ２１は、図２ないし図７に詳示するように、可変図柄表示部１４とユニット化されており、箱状のユニット枠体２２がその一側面を遊技面２ａと面一な状態で取り付けられ、このユニット枠体２２の凹部２２ａ底面にその下側部分を除く略全面に亘って可変図柄表示部１４が外側に面して設けられているとともに、ユニット枠体２２の下側部分にセンタステージ２１が設けられている。
【００１５】
上記センタステージ２１は、ユニット枠体２２の凹部２２ａ下側壁面に形成された上段ステージ部としての第１ステージ部２３と、この第１ステージ部２３の下側に上下２段に形成された下段ステージ部としての第２ステージ部２４及び第３ステージ部２５とを有している。第１ステージ部２３は、障害釘１１等に当たってユニット枠体２２の凹部２２ａ底面の可変図柄表示部１４下側に回り込んだ打球を受け止めて中央部（つまり始動入賞口１５寄りの上方）に形成した打球放出口３１に導く傾斜面状の案内路を構成している。また、第２及び第３ステージ部２４，２５は、それぞれユニット枠体２２の下側外側面に形成したスリット状の開口部３２又は３３を通して飛び込んだ打球を受け止めて中央部に形成した打球放出口３４又は３５に導く傾斜面状の案内路を構成している。換言すれば、センタステージ２１は、打球を各々別々に始動入賞口１５寄りの上方に導く３つの案内路２３，２４，２５を有しており、これら３つの案内路２３〜２５の打球放出口３１，３４，３５は、始動入賞口１５の真上で始動入賞口１５との距離が各々異なって縦方向に並んで位置しているとともに、始動入賞口１５との距離が遠いもの程横幅が大きく設定されている。
【００１６】
上記ユニット枠体２２には凹部２２ａの裏面側に打球を誘導する誘導路（いわゆるワープルート）４１が形成されている。この誘導路４１は、ユニット枠体２２の上側の入賞口１２（いわゆる天穴）を流入口とし、天穴１２に入賞した打球をユニット枠体２２の凹部２２ａの底面下側部分に形成した排出口４２からセンタステージ２１の第１ステージ部２３上に導くようになっている。
【００１７】
さらに、センタステージ２１は、上記誘導路４１の排出口４２に対応して、第１ステージ部２３の中央部に同心円状に配置した２つの円盤状の回転体５１，５２を有している。内側の回転体５１は、上面の外周縁に上方に突出する複数（図では３つ）の障害壁５０，…が円周方向に等間隔で設けられていて、誘導路４１の排出口４２から排出される打球の方向をランダムにするようになっている。一方、外側の回転体５２は、ユニット枠体２２に形成された収納部５３内に回転可能に配置されており、収納部５３の前側部分は、第１ステージ部２３及び第２ステージ部２４を貫通して第３ステージ部２５の上方に面して形成されている。この外側の回転体５２には、その中央部に上記内側の回転体５１を回転可能に収納する収納凹部５４が形成されているとともに、この収納凹部５４の周囲に連通路として２つの第１連通孔５５，５５と４つの第２連通孔５６，５６，…とが円周方向に等間隔に（詳しくは第１連通孔５５が１８０度間隔でかつその間に第２連通孔５６が２つずつ等間隔で）形成されている。
【００１８】
上記第１連通孔５５は、回転体５２を上下方向に貫通しており、回転体５２の回転により収納部５３内の前側部分に位置するときには第３ステージ部２５と連通して回転体５２の上面上から打球を第３ステージ部２５に導き得るようになっている。また、上記第２連通孔５６は、回転体５２の上面と外周面との間に跨って略Ｌ字状に形成されており、回転体５２の回転により収納部５３内の前側部分に位置するときには第２ステージ部２４と連通して回転体５２の上面上から打球を第２ステージ部２４に導き得るようになっている。回転体５２の上面には、外周縁のうち、各連通孔５５，５６に対応した箇所にのみ上方に突出する障害壁５７，５７，…が設けられていて、回転体５２の中心部側から連通孔５５，５６側に転がってきた打球を障害壁５７で受け止めて連通孔５５，５６に落下させる一方、回転体５２の中心部側から連通孔５５，５６の無い外周縁に転がってきた打球を第１ステージ部２３にそのまま導くようになっている。よって、回転体５２の上面の外周縁のうち、障害壁５７（つまり連通孔５５，５６）の無い部分５２ａ，５２ａ，…は、回転体５２の回転によりユニット枠体２２の凹部２２ａ底面より前側に位置するときに第１ステージ部２３と連通して打球を第１ステージ部２３に導く連通路としての機能を備えており、また回転体５２は、第１〜第３ステージ部２３〜２５に各々連通する複数の連通路５２ａ，５６，５５を有している。
【００１９】
上記ユニット枠体２２の収納部５３及び外側の回転体５２には同心状の第１回転軸６１と第２回転軸６２とが回転体５２の中心線上を上下方向に貫通して設けられ、第１回転軸６１は内側の回転体５１に、第２回転軸６２は外側の回転体５２にそれぞれ回転一体に連結されている。上記第１及び第２回転軸６１，６２にはモータ６３の回転力が減速機６４を介して互いに逆回転方向に伝達され、内側の回転体５１と外側の回転体５２とが垂直軸としての回転軸６１，６２回りに反対方向に回転するようになっている。よって、上記両回転体５１，５２は、打球を第１〜第３ステージ部２３〜２５のいずれかに選択的に振り分ける可動部材としての機能を発揮する。
【００２０】
次に、上記第１の実施形態の作用・効果を説明するに、ハンドル４の操作により遊技面２ａに発射された打球が天穴１２に入賞した場合、その入賞した打球は、誘導路４１内を通って可変図柄表示部１４の下側の排出口４２からセンタステージ２１における内側の回転体５１上に排出される。その後、打球は内側の回転体５１上及び外側の回転体５２上を転がり落ち、外側の回転体５２上面の連通孔５５，５６の無い部分５２ａを通って第１ステージ部２３に導かれたり、外側の回転体５２の第２連通孔５６を通って第２ステージ部２４に導かれたり、あるいは外側の回転体５２の第１連通孔５５を通って第３ステージ部２５に導かれたりする。これら３つのステージ部２３〜２５の打球放出口３１，３４，３５は、いずれも始動入賞口１５の上方に位置しているが、始動入賞口１５までの距離が各々異なりかつその距離が遠い程打球放出口３１，３４，３５の横幅が大きく設定されているため、放出される打球の始動入賞口１５に入賞する確率が大きく相違する。このため、遊技者はセンタステージ２１での打球の動きに興味を強く持つことになり、センタステージ２１での遊技性を高めることができる。
【００２１】
また、上記センタステージ２１は、遊技者の視点が集まり易い可変図柄表示部１４の近くにあるため、この可変画像表示部１４の変動図柄ゲームとセンタステージ２１での遊技とが互いに相乗効果を生じることになり、興趣に富んだパチンコ遊技を提供することができる。しかも、上記両回転体５１，５２は、垂直軸６１，６２回りに互いに反対方向に回転し、その上を転がり落ちる打球の動きが変化に富んだものになるので、センタステージ２１での遊技性をより高めることができ、パチンコ遊技の興趣をより一層高めることができる。
【００２２】
尚、遊技面２ａに発射された打球が障害釘１１等に当たって可変図柄表示部１４の下側に回り込んで第１ステージ部２３上に乗り、更にそこから回転体５２，５１上にまで転がり上がった場合にも、打球が天穴１２に入賞して誘導路４１の排出口４２から回転体５１上に排出される場合と同様の遊技が行われる。
【００２３】
図８は本発明の第２の実施形態に係るパチンコ遊技機の可変図柄表示部付近を示し、７１はパチンコ遊技機の遊技面２ａの略中央部に設けられた箱状のユニット枠体であって、このユニット枠体７１は、第１の実施形態におけるユニット枠体２２と同様に一側面を遊技面２ａと面一な状態で取り付けられており、ユニット枠体７１の凹部７１ａの底面中央部には可変図柄表示部７２が外側に面して設けられている。
【００２４】
パチンコ遊技機の遊技面２ａのユニット枠体７１下方には３つの始動入賞口７３ａ，７３ｂ，７３ｂが横並びで設けられている。中央の始動入賞口７３ａに打球が入賞すると所定数（例えば１５個）のパチンコ玉が賞品球として払い出され、左右の始動入賞口７３ｂ，７３ｂに打球が入賞すると、中央の始動入賞口７３ａへの入賞のときよりも少ない数（例えば７個）のパチンコ玉が賞品球として払い出されるようになっている。また、いずれの始動入賞口７３ａ，７３ｂに打球が入賞したときにも、上記可変図柄表示部７２に三つの画面が横一列に表示され、それらの画面がそれぞれ数字等の複数種の図柄を可変表示した後、所定時間経過後に停止した図柄の組み合わせが特定の組み合わせであれば遊技者に有利となる特別遊技状態にするようになっている。
【００２５】
上記ユニット枠体７１の下側部分（つまり可変図柄表示部７２と始動入賞口７３ａ，７３ｂとの上下方向中間位置）には打球を受け止めて始動入賞口７３ａ，７３ｂ寄りの上方に導くための打球誘導部としてのセンタステージ７５が設けられている。このセンタステージ７５は、図９に詳示するように、ユニット枠体７１の凹部７１ａ下側壁面が打球を受け止めるステージ面７６とするものであり、このステージ面７６は、始動入賞口７３ａの真上に位置する打球放出口７７に向かって傾斜する傾斜面状に形成されている。また、ユニット枠体７１には凹部７１ａの裏面側に誘導路８１が形成されており、この誘導路８１は、ユニット枠体７１の上縁部に形成した流入口８２に入った打球８０をユニット枠体７１の凹部７１ａの底面下側部分に形成した排出口８３からステージ面７６上に導くようになっている。
【００２６】
上記ステージ面７６には、上記誘導路８１の排出口８３を通る軸を対称軸として略左右対称に複数の障害釘８６，８６，…と４つの第１案内孔８７，８７，…と２つの第２案内孔８８，８８とが設けられている。４つの第１案内孔８７，８７，…は、いずれも始動入賞口７３ａの上方でかつ上記打球放出口７７より下側に設けられた円形穴からなる打球放出口９１に連通して、ステージ面７６上から打球を打球放出口９１に導いて放出するようになっている。また、各第２案内孔８８は、それぞれ対応する始動入賞口７３ｂの上方に設けられた楕円形穴からなる打球放出口９２に連通して、ステージ面７６上から打球を打球放出口９２に導いて放出するようになっている。よって、センタステージ７５は、ステージ面７６を案内路として打球を打球放出口７７に導いて放出する経路以外に、第１案内孔８７及び第２案内孔８８をそれぞれ案内路として打球を打球放出口９１，９２に導いて放出する経路を有しており、これらの案内路７６，８７，８８の打球放出口７７，９１，９２は、それぞれ対応する始動入賞口７３ａ又は７３ｂまでの距離が各々異なっている。
【００２７】
従って、上記第２の実施形態においても、打球が誘導路８１の流入口８２に流入して誘導路８１の排出口８３からセンタステージ７５のステージ面７６上に排出された場合等には、その打球は、ステージ面７６上で案内孔８７，８８に落ちることなく打球放出口７７から放出されたり、第１案内孔８７を通して打球放出口９１から放出されたり、あるいは第２案内孔８８を通して打球放出口９２から放出されたりする。これらの打球放出口７７，９１，９２は、いずれも始動入賞口７３ａ，７３ｂの上方に位置しているが、始動入賞口７３ａ，７３ｂまでの距離が異なりかつ形状も異なるため、放出される打球の始動入賞口７３ａ，７３ｂに入賞する確率が相違する。また、始動入賞口７３ａ，７３ｂに打球が入賞した時の賞品球の払い出し個数も相違する。このため、第１の実施形態の場合と同様に、遊技者はセンタステージ７５での打球の動きに興味を強く持つことになり、センタステージ７５での遊技性を高めることができる。
【００２８】
図１０は本発明の第３の実施形態に係るパチンコ遊技機のセンタステージ構造を示す。この実施形態の場合、センタステージ１００は、第２の実施形態におけるセンタステージ７５の場合と同じく、ユニット枠体１０１の凹部１０１ａ下側壁面が打球を受け止めるステージ面１０２とするものであり、ユニット枠体１０１にはこのステージ面１０２に面して誘導路１０３の排出口１０４が形成されている。
【００２９】
上記ステージ面１０２には、凹部１０１ａ底面寄りの部位に２つの第１案内孔１１０，１１０及び３つの第２案内孔１１１，１１１，１１１が形成されているとともに、遊技面寄りの部位に一対の玉反射レバー１１２，１１２が設けられている。第１案内孔１１０は始動入賞口に最も近い位置に開口する打球放出口（第１の実施形態における第３ステージ部２５の打球放出口３５及び第２の実施形態における打球放出口９１に相当）に、第２案内路１１１は始動入賞口に２番目に近い位置で開口する打球放出口（第１の実施形態における第２ステージ部２４の打球放出口３４及び第２の実施形態における打球放出口９２に相当）にそれぞれ連通して、ステージ面１０２上から打球８０を導いて放出するようになっている。
【００３０】
上記一対の玉反射レバー１１２，１１２は、ステージ面１０２の遊技面に連続する一辺をその中央の打球放出口１１３を除いて閉鎖するように配置されているとともに、それぞれ相反する端部に垂直軸としての支軸１１４が連結されている。上記支軸１１４には、図示していないがモータの回転力が減速機を介して伝達されるようになっており、一対の玉反射レバー１１２，１１２は、それぞれこの回転力を受けて支軸１１４回りに所定角度範囲でステージ面１０２に沿って所定周期で水平揺動するように設けられている。よって、センタステージ１００は、第２の実施形態におけるセンタステージ７５と同じく、ステージ面１０２を案内路として打球を打球放出口１１３に導いて放出する経路以外に、第１案内孔１１０及び第２案内孔１１１をそれぞれ案内路として打球を別々の打球放出口に導いて放出する経路を有しており、また一対の玉反射レバー１１２，１１２は、ステージ面１０２上の打球をこれら３つの案内路１０２，１１０，１１１に選択的に振り分ける可動部材としての機能を発揮する。
【００３１】
そして、上記第３の実施形態においても、第１及び第２の実施形態の場合と同様に、遊技者がセンタステージ１００での打球８０の動きに興味を強く持つことになり、ステージ１００での遊技性を高めることができるのは勿論である。
【００３２】
尚、本発明は上記第１〜第３の実施形態に限定されるものではなく、その他種々の形態を包含するものである。例えば、上記各実施形態では、いずれも可変図柄表示部１４，７２の下方に始動入賞口１５，７３ａ，７３ｂを設け、遊技面２ａにおける可変図柄表示部１４，７２と始動入賞口１５ａ，７３ａ，７３ｂとの上下方向中間位置にセンタステージ２１，７５，１００を設けた場合について述べたが、本発明は、この始動入賞口の代わりに、遊技面の所定個所に配置された通常の入賞口又は通過ゲートの上方にその入賞口又は通過ゲートに打球を導くための打球誘導部を設けた場合にも同様に適用することができる。
【００３３】
また、上記第１及び第２の実施形態では、可変図柄表示部１４，７２としては、液晶ディスプレイを用いた場合について述べたが、この液晶ディスプレイ以外に、ブラウン管又はリール装置等を用いて構成してもよいのは勿論である。
【００３４】
さらに、上記第３の実施形態では、ステージ面１０２上の打球を３つの案内路１０２，１１０，１１１に選択的に振り分ける可動部材としての玉反射レバー１１２を所定周期で自動的に揺動させる構成としたが、本発明は、この玉反射レバー１１２を遊技者の操作により揺動させて、遊技者自身がステージ面１０２上の打球を３つの案内路１０２，１１０，１１１に選択的に振り分け得るように構成してもよく、この場合にはステージでの遊技性を一層高めることができる。
【００３５】
【発明の効果】
以上のように、本発明のパチンコ遊技機によれば、打球誘導部であるステージ上の打球が複数の案内路のいずれに導かれて放出されるかによって、打球の入賞口等への入賞確率が異なるので、遊技者はステージ上での打球の動きに興味を持つことになり、ステージでの遊技性を高めることができ、興趣に富んだものとすることができる。
【００３６】
特に、請求項２に係る発明では、可変図柄表示部とステージとが互いに近い位置にあるため、可変図柄表示部での図柄変動ゲームとステージ上の遊技との相乗効果によりパチンコ遊技機の興趣を一層高めることができる。
【００３７】
また、請求項３に係る発明では、複数の案内路間における打球の入賞口等への入賞確率の差異がより大きくなるので、ステージでの遊技性を一層高めることができる。
【００３８】
請求項４に係る発明では、可動部材によってステージ上の打球が複数の案内路のいずれかに振り分けられるので、遊技者はこの可動部材の動きにも興味を持つことになり、ステージでの遊技性を一層高めることができる。
【００３９】
さらに、請求項５に係る発明では、上記可動部材が垂直軸回りに回転する回転体からなり、ステージでの打球の動きが非常に変化に富むようになるので、ステージでの遊技性をより一層高めることができる。
【図面の簡単な説明】
【図１】
本発明の第１の実施形態に係るパチンコ遊技機の外観を示す正面図である。
【図２】
上記遊技機の遊技面中央部分の拡大図である。
【図３】
同じく遊技面中央部分の斜視図である。
【図４】
図２のＫ−Ｋ線における断面図である。
【図５】
図２のＬ−Ｌ線における断面図である。
【図６】
図２のＭ−Ｍ線における断面図である。
【図７】
図２のＮ−Ｎ線における断面図である。
【図８】
第２の実施形態を示す図２相当図である。
【図９】
図８のＸ−Ｘ線における拡大断面図である。
【図１０】
第３の実施形態を示す図９相当図である。
【符号の説明】
Ａ    パチンコ遊技機
２ａ  遊技面
１４，７２    可変図柄表示部
１５，７３ａ，７３ｂ    始動入賞口
２１，７５，１００    センタステージ（打球誘導部）
２３    第１ステージ部（案内路、上段ステージ部）
２４    第２ステージ部（案内路、下段ステージ部）
２５    第３ステージ部（案内路、下段ステージ部）
３１，３４，３５ 打球放出口
５１，５２    回転体（可動部材）
５２ａ  回転体上面の外周縁の一部（連通路）
５５    第１連通孔（連通路）
５６    第２連通孔（連通路）
７６，１０２    ステージ面（案内路）
７７，９１，９２，１１３    打球放出口
８７，１１０    第１案内孔（案内路）
８８，１１１    第２案内孔（案内路）
１１２    玉反射レバー（可動部材）